(57)【特許請求の範囲】
【請求項１】
チャンネル観測情報を受信すること、前記チャンネル観測情報は基本的なアクセスチャンネルにおける活動度に少なくとも一部関連する、
前記チャンネル観測情報に少なくとも一部基づいて、分散制御のための少なくとも１つのパラメタを計算すること、前記分散制御のための少なくとも１つのパラメタは、少なくとも１つの分散パラメタを含む、
前記分散制御のための少なくとも１つのパラメタを基本的なアクセスチャンネルで送信すること、前記分散パラメタはメッセージのメッセージ長閾値であり、前記活動度に基づいて計算され、前記メッセージ長閾値は送信成功の確率が最小の境界を満たすメッセージの最大の長さを示し、前記分散パラメタは少なくとも前記基本的なアクセスチャンネルと予約されたアクセスチャンネルの間でトラフィックを分散することに関係する、
含む方法。
【請求項２】
前記基本的なアクセスチャンネルの時間次元は、一連の隣接している重ならないスロットに分割され、
前記チャンネル観測情報は、前記スロットの予定された１つの間に前記基本的なアクセスチャンネルにおける活動度に少なくとも一部関係する請求項１による方法。
【請求項３】
前記分散制御のための少なくとも１つのパラメタは少なくとも１つの持続性パラメタを含み、
前記持続性パラメタはメッセージの再送信に関連する請求項１による方法。
【請求項４】
複数のノードの中の少なくとも１つに分散制御のための少なくとも１つのパラメタを送信するように構成および配列されたノードインタフェース送信器であって、
前記分散制御のための少なくとも１つのパラメタは少なくとも１つの分散パラメタを含み、前記分散制御のための少なくとも１つのパラメタはチャンネル観測情報に少なくとも一部基づき、前記チャンネル観測情報は基本的なアクセスチャンネルにおける活動度に少なくとも一部関連する、
前記分散パラメタは前記基本的なアクセスチャンネルで送信されるメッセージのメッセージ長閾値であり、前記活動度に基づいて計算され、前記メッセージ長閾値は送信成功の確率が最小の境界を満たすメッセージの最大の長さを示し、前記分散パラメタは少なくとも前記基本的なアクセスチャンネルと予約されたアクセスチャンネルの間でトラフィックを分散することに関係する、
ノードインタフェース送信器。
【請求項５】
前記基本的なアクセスチャンネルの時間次元は、一連の隣接している重ならないスロットに分割され、
前記チャンネル観測情報は、前記スロットの予定された１つの間に前記基本的なアクセスチャンネルにおける活動度に少なくとも一部関係する請求項４によるノードインタフェース送信器。
【請求項６】
分散制御のための前記少なくとも１つのパラメタは、少なくとも１つの持続性パラメタを含み、
前記持続性パラメタは、メッセージの再送信に関連する請求項４によるノードインタフェース送信器。
【請求項７】
複数のノードの中の少なくとも１つに分散制御のための少なくとも１つのパラメタを送信するノードインタフェース送信器と、前記分散制御のための少なくとも１つのパラメタは少なくとも１つの分散パラメタを含み、
少なくとも基本的なアクセスチャンネル上の複数のノードの中の少なくとも１つからメッセージを受信するノードインタフェース受信器と、
を含み、
前記分散制御のための少なくとも１つのパラメタは、チャンネル観測情報に少なくとも一部基づいており、
前記チャンネル観測情報は、前記基本的なアクセスチャンネルにおける活動度に少なくとも一部関連し、
前記分散パラメタは前記基本的なアクセスチャンネルで送信されるメッセージのメッセージ長閾値であり、前記活動度に基づいて計算され、前記メッセージ長閾値は送信成功の確率が最小の境界を満たすメッセージの最大の長さを示し、前記分散パラメタは少なくとも前記基本的なアクセスチャンネルと予約されたアクセスチャンネルの間でトラフィックを分散することに関係する、
システム。
【請求項８】
前記基本的なアクセスチャンネルの時間次元は一連の隣接している重ならないスロットに分割され、
前記チャンネル観測情報は前記スロットの予定された１つの間に前記基本的なアクセスチャンネルにおける活動度に少なくとも一部関係する請求項７によるシステム。
【請求項９】
分散制御のための前記少なくとも１つのパラメタは少なくとも１つの持続性パラメタを含み、
前記持続性パラメタはメッセージの再送信に関連する請求項７によるシステム。
【請求項１０】
少なくとも１つの分散パラメタと、少なくとも１つの持続性パラメタを受信すること、前記分散パラメタはメッセージ長閾値であり、前記メッセージ長閾値は基本的なアクセスチャネル上の送信成功の確率が最小の境界を満たすメッセージの最大の長さを示し、
前記メッセージの少なくとも１つの特徴を受信すること、
少なくとも前記基本的なアクセスチャンネルと予約されたアクセスチャンネルの中の１つを選択すること、前記選択は前記少なくとも１つの特徴および前記少なくとも１つの分散パラメタ間の関係に少なくとも一部基づいており、
前記選択されたチャンネル上に前記メッセージを送信すること、
前記メッセージを再送信すること、前記再送信は、前記少なくとも１つの持続性パラメタに少なくとも一部従っておきる、
を含む方法。
【請求項１１】
前記少なくとも１つの特徴が少なくとも前記メッセージの長さに関連する請求項１０による方法。
【請求項１２】
前記方法は、さらに、少なくとも１つの乱数を発生させることを含み、
前記再送信は、前記少なくとも１つの乱数と前記少なくとも１つの持続性パラメタとの関係に少なくとも一部従って起こる請求項１０による方法。
【請求項１３】
基本的なアクセスチャンネルおよび予約されたアクセスチャンネルの中の１つにメッセージを送信する送信器と、
少なくとも１つの分散パラメタを受信する受信器と、前記分散パラメタはメッセージ長閾値であり、前記メッセージ長閾値は基本的なアクセスチャネル上の送信成功の確率が最小の境界を満たすメッセージの最大の長さを示し、
前記メッセージの少なくとも１つの特徴を受信するプロセッサと、を含み、
前記プロセッサは、さらに、少なくとも前記基本的なアクセスチャンネルおよび前記予約されたアクセスチャンネルのうちの１つを選択し、前記選択は前記少なくとも１つの特徴と前記少なくとも１つの分散パラメタとの関係に少なくとも一部基づいており、
前記送信器は、さらに、前記選択に少なくとも一部従って、前記メッセージを送信し、
前記受信器は、さらに、少なくとも１つの持続性パラメタを受信し、
前記プロセッサは、さらに、前記送信器に、前記少なくとも１つの持続性パラメタに少なくとも一部従って前記メッセージを再送させる、
装置。
【請求項１４】
前記少なくとも１つの特徴は少なくとも前記メッセージの長さに関連する請求項１３による装置。
【請求項１５】
前記プロセッサは、さらに、少なくとも１つの乱数を発生し、
前記プロセッサは、さらに、前記送信器に、前記少なくとも１つの乱数と前記少なくとも１つの持続性パラメタとの関係に少なくとも一部従って前記メッセージを再送信させる、請求項１３による装置。
【発明の詳細な説明】
【技術分野】
【０００１】
この発明は通信システムにおけるトラフィック管理に関する。なお特に、この発明は通信システムのアクセスチャンネルトラフィックの管理に関連する。
【背景技術】
【０００２】
通信システムは通信ネットワークおよびネットワークと通信する一組のノードを含む。ネットワークおよびノード間の通信リンクは有線および/又は無線であるかもしれない。ネットワークは他のネットワークと通信するかもしれず、例えばノードは、ネットワーク内の実在物、ネットワークに接続された他のノード、および/又は他のネットワーク上の実在物および/又はノードと通信するかもしれない。
【０００３】
通信ネットワークに関する１つの例がローカル・エリア・ネットワーク(LAN)であり、そこでは、ネットワークは一組のサーバを含み、個々のノードはワークステーション、パーソナルコンピュータおよび/又は格納ユニットとプリンタなどの周辺機器を含むかもしれない。通信ネットワークの他の例はセルラ通信のための無線のネットワークであり、そこでは、ネットワークが一組の基地局と管理単位(移動サービスコントローラ(MSCs)と位置レジスタなどの) を含み、個々のノードは無線リンク上で基地局と通信するモバイルユニットであるかもしれない。モバイルユニットはセルラ電話、コンピュータまたは他のデータ発生装置に接続された無線のモデム、または無線のローカルループ(WLL) ステーションであるかもしれない。基地局を通して、モバイルユニットは互いに、および/又はインターネットおよび/又は公衆電話交換網(PSTN)のような他のネットワーク上の装置と通信するかもしれない。
【０００４】
図１で示されるように、多くのノード１００が共通のチャンネル２５０上で情報をネットワーク２００に送信するかもしれない。ローカル・エリア・ネットワークでは、例えば、いくつかのワークステーションかパーソナルコンピュータが、同じイーサネット（登録商標）接続にまたがって情報をネットワークに送ることを試みるかもしれない。セルラ電話システムなどの移動無線通信のためのシステムでは、数人のユーザが共通のアクセスチャンネル(例えば、ALOHA計画に従って)上にアクセス要求を送ることにより、同時にネットワークへの接続を得ようと試みるかもしれない。２人以上のユーザからの送信が同時に同じチャンネル上のネットワークによって受信されるとき、何れかの送信が正しく受け取られることを妨げるデータ衝突が生じるかもしれない。結果として、各々が正しく受け取られるまで衝突している送信は別々に再送されなければならず、その結果、チャンネルトラフィックを増加させて、システムに遅れを引き起こす。
【０００５】
有線リンク上で送信しているノードには、それが起こるとき、データ衝突に関する情報を受信することは可能である。しかしながら、無線リンク上で送信する典型的なノードのために、現在のチャンネル使用に関する重要な情報は間接的にしかネットワークから得られないかもしれない。そのうえ、そのような情報は、タイムアウト(即ち、指定された時間期間内に送信の確認を受信することに失敗すること)の形のような通常否定的にのみ受け取られる。少なくとも一部においてこのフィードバック遅れのため、チャンネル使い過ぎによって引き起こされるデータ衝突は無線システムでさらにコスト高になる。
【０００６】
ALOHA計画を使用しているシステムは特にデータ衝突に影響されやすい。この敏感さは、代わりにスロットをつけられたALOHA計画を実行することによりいくらか減少するかもしれない。スロットをつけられたALOHA計画の下では、時間は一連の隣接していて重なっていないスロットに分割され、ノードがスロット境界でのみ送信を始めることを強制される。
【０００７】
共通のチャンネル上で異なった長さのメッセージを支持することは望ましいかもしれない。例えば、スロットをつけられたALOHAシステムにおいて、いくつかの連続したスロットを占めるメッセージを支持することは望ましいかもしれない。しかしながら、そのような変更はシステムの複雑さを増加させ、衝突への敏感さはメッセージの長さにより増加する。
【０００８】
単一の、衝突傾向があるアクセスチャンネルへの１つの代替手段は、あらかじめ予約されたスロットの間だけノードが使用するかもしれない予約されたアクセスチャンネルである。IS-2000 CDMAシステムにおいて、例えば各逆方向リンクの高められたアクセスチャンネルは、基本的なアクセスチャンネル(即ち、スロットをつけられたALOHA)または予約されたアクセスチャンネルのどちらかになるように指定されるかもしれない。図２は、逆方向リンクに基本的なアクセスチャンネル２５２aおよび予約されたアクセスチャンネル２５２bを持っている例示的システムのブロック図を示す。
【０００９】
アクセスチャンネル上の予約モードを実行することがそのチャンネル上で衝突の可能性を排除する間、予約の交渉は遅れと余分なチャンネルトラフィックを引き起こす。さらに、ノードはその予約されたスロットが到着するのを待たねばならない。したがって、基本的なアクセスチャンネルを使用してできるだけ多くのメッセージを送ることが望ましい。同時に、遅れを最小にするような方法でいくつかのアクセスチャンネル間 (例えば、図２のチャンネル２５２aと２５２bの間) のトラフィックを管理することが望ましい。
【図面の簡単な説明】
【００１０】
【図１】通信システムのブロック図である。
【図２】逆方向リンク上の基本的なアクセスチャンネルと予約されたアクセスチャンネルを有する通信システムのブロック図である。
【図３】発明の実施例に従ったシステムのブロック図である。
【図４】発明の実施例に従ったシステムのブロック図である。
【図４Ｂ】発明の実施例に従ったシステムのブロック図である。
【図５】発明の実施例に従った方法のフローチャートである。
【図６】発明の実施例に従った方法のフローチャートである。
【図７】発明の実施例に従った方法のフローチャートである。
【図８】発明の実施例に従った方法のフローチャートである。
【図９】発明の実施例に従った装置のブロック図を示す。
【発明を実施するための形態】
【００１１】
図３は、ネットワーク２１０のノードインタフェース送信器２２０が分散制御のパラメタを順方向リンク２６０上でノード１１０に送信する、発明の実施例に従ったシステム５０を示す。システム５０の例示的実施例では、ノード１１０はセルラ電話システムのモバイルユニットであり、ノードインタフェース送信器２２０はセルラ電話システムの基地局またはその一部であり、それは分散制御のパラメタをページングチャンネルなどの制御チャンネル上で送信する。
【００１２】
図４は、ノード１１０が基本的なアクセスチャンネル２５２aまたは予約されたアクセスチャンネル２５２b上でネットワーク２１０のノードインタフェース受信器２３０へメッセージを送信する、発明の実施例に従ったシステム６０を示す。例示的実施例では、システム５０と６０はノード１１０とネットワーク２１０で重複し、ノードインタフェース送信器２２０と受信器２３０は同じ基地局の部分すなわちトランシーバー２２５(例えば、図４Ｂに示されるように)である。各メッセージをネットワーク２１０に送信するため、この実施例におけるノード１１０は基本的なアクセスチャンネル２５２aまたは予約されたアクセスチャンネル２５２bのどちらかでメッセージを送ることを選択し、この選択は分散制御のパラメタに従って少なくとも一部でなされる。
【００１３】
図５は、図３で示されるようにノードインタフェース送信器２２０によって実行されるかもしれない発明の実施例による方法を示す。タスクP１１０では、ノードインタフェース送信器２２０は逆方向リンクチャンネル観測情報（即ち、逆方向リンクチャンネル２５２aおよび/又は２５２bの現在または最近の状態に関連する情報）を受信する。この情報はノードインタフェース受信器２３０か、より一般的にはノードインタフェース送信器２２０を含むトランシーバー２２５の受信器部分から受信されるが、システム５０も図４の方法もかかる構成に限定されない。例えば、逆方向リンクチャンネル観測情報は、逆方向リンクチャンネル２５２aが最新のスロット期間アイドルであったか、衝突にあったか、またはネットワーク２１０に首尾よくメッセージデータを搬送したかを示すかもしれない。
【００１４】
タスクP１３０では、分散制御のパラメタは少なくとも一部でチャンネル観測情報に基づいて計算される。このタスクはノードインタフェース送信器２２０かネットワーク２１０の他の部分によって実行されるかもしれない。分散制御のパラメタは１つ以上の分散パラメタ(逆方向リンクチャンネル２５２aまたは２５２b上にメッセージを送信するかどうかを決定することに関連する)および/又は１つ以上の持続性パラメタ(例えば、衝突によりその送信が失敗したメッセージの再送信開始をするかどうか、およびするときの決定に関係する)を含むかもしれない。タスクP１４０では、分散制御のパラメタは送信される(例えば、順方向リンクチャンネル２６０上で)。
【００１５】
図６は発明の代わりの実施例に従った方法を示す。この方法のタスクP１２０において、チャンネルモデルはチャンネル観測情報に従って少なくとも一部更新される。このモデルはノードインタフェース送信器２２０内またはネットワーク２１０の他の部分の中で維持されるかもしれない。タスクP１３２では、分散制御のパラメタは少なくとも一部更新されたチャンネルモデルに基づいて計算される。
【００１６】
図７は図６の方法の特定の実施例を示す。タスクP１１２において、最新のスロット(スロットiとして指示され、ここにシーケンスの最初のスロットがスロット０として指定される)の間、チャンネル２５２aの状態εについて値が決定される。この実施例では、状態εは値+１(スロットiの間、メッセージデータの成功している受信を示す)、−１(スロットiの間、データ衝突を示す)、または０(スロットiの間チャンネル２５２aがアイドルであることを示す)を有するかもしれない。
【００１７】
タスクP１２２において、εの値は次のスロット中の時間内(スロット(i+１)として表される)にチャンネル２５２aのモデルを更新するために使用される。特定の実施例では、このモデルは留保値ni+1を含み、チャンネル活動度がλi+1と推定する。留保値nは留保されたメッセージ(即ち、衝突に巻き込まれ、まだ首尾よく再送されていないメッセージ)に関連する。例示的実施例では、留保値ni+1はスロット(i+１)の間にメッセージを留保しているノードの数を表し、以下の通り表現される：
【数１】
0005425852.tif 000002
【００１８】
ここに、λiはスロットiのチャンネル活動度推定値(以下で説明される)、αは再送信確率b(また以下で説明される) を調整するために使用される要素である。パラメタαのため１-λiの値の選定が平均遅れを最適化することが証明されるかもしれない。この場合、上の表現は以下のように書き直される。
【数２】
0005425852.tif 000003
【００１９】
一般に、留保値nが負でない値を持つように強制することが望ましいだろう。
【００２０】
タスクP１２２はまた、チャンネル２５２a上の活動度の推定値を供給する値λの計算を含んでいる。例示的実施例では、λi+1は留保値ni+1、履歴hi、および初期値λ0の正規化された合計として計算される:
【数３】
0005425852.tif 000004
【００２１】
ここに、履歴hiは受信が成功した(即ち、εが+１と等しかった) スロット(スロットiを含めたスロットiまで)の実行合計として維持される。αが値１-λiを持つように選ばれるならば、iが増加するとしてλの限界は少なくとも０と１までに拘束されるであろう。したがって、初期値λ0の１つの適当な選択は０.５である。しかしながら、λの値は演算中に急速に収束する傾向があるので、初期値の選択はこの場合それほど重要でない。方法が再開されるべきであるならば(即ち、 iの値がゼロにリセットされるべきである)、再開のときに初期値λ0として使用するためにλの最終値を格納することは望ましいかもしれない。
【００２２】
タスクP２３２において、留保値ni+1およびチャンネル値λi+1がメッセージ長さの閾値Lを計算するために使用される。長さ１のスロットのメッセージの成功している送信の確率はP(S ｜1) として表される。例示的実施例において、ノードインタフェース受信器２３０が他のスロットの観測の如何にかかわらず個々にビジーまたはフリーとして各スロットを見なし、長さのNスロットのメッセージの成功している送信の確率P(S｜N)が以下として表されると仮定する。
【数４】
0005425852.tif 000005
【００２３】
また、スロット内の新しいユーザ(即ち、新しくかつ留保されたメッセージではないユーザ)の数がパラメタλを有するポアソン分布に従うと仮定される:
【数５】
0005425852.tif 000006
【００２４】
さらに、留保されたメッセージをスロットに送るユーザの数は以下の通り分散されると仮定される:
【数６】
0005425852.tif 000007
【００２５】
ここに、nはスロットの留保値であり、bは再送信の確率(以下で議論する) である。したがって、P(S｜1) が以下の事象に関連することが分る：
【数７】
0005425852.tif 000008
【００２６】
フェディングやシャドウイングのようなチャンネル条件を考慮してチャンネル品質要素Q(ここに、Qは０.９９のような固定値または動的な値≦１を持っているかもしれない)を加えると、長さ１のスロットに関するメッセージの成功している送信の確率を以下のように表現することができる：
【数８】
0005425852.tif 000009
【００２７】
逆方向リンクチャンネル２５２a上のメッセージの成功している送信の確率における最小の境界dはシステムパラメタとして選ばれる。首尾よく送信された確率が最小の境界dを満たすメッセージの最大の長さを示す閾値Lは以下として表される：
【数９】
0005425852.tif 000010
【００２８】
例示的実施例では、メッセージ長さの閾値Lは以下の通り表される:
【数１０】
0005425852.tif 000011
【００２９】
再送信の確率bは上で説明されたLの項と他のパラメタで以下の通り表される：
【数１１】
0005425852.tif 000012
【００３０】
ここに、パラメタβは値０.５に指定されるかもしれない。代わりに(１-(λ/２) -λ) の値は、１人の留保されたユーザがいるとき(即ち、ni+1=１のとき)、成功している送信の確率を最大にするためにパラメタβについて選択されてもよい。この表現では、２/(L + １)の項はLが関係する(即ち、(L + １)/２)のチャンネル上で許容されるメッセージの平均長さを説明する目盛係数である。
【００３１】
上で説明された仮定、モデル、および推定値は、ノードが活動的および不活発な状態間で変化し、および/又はシステムに入るまたは去る動的な通信環境の状態によく相当することが分った。より静的または強制的な環境において、留保またはチャンネル活動度のような量として、より多いまたはより少ない正確な値が利用可能であるように推定することは必要ないかもしれない。さらに、他の仮定は、異なった条件(例えば、１つ以上のノードによる活動度がいくつかの事象と相関する環境)の下でより良い推定値を提供するかもしれない。
【００３２】
平均した遅れを最小にする評価基準に関して、上で説明されたようにLとbの選択が最適であることが証明できる。しかしながら、特定の応用のために、代わりに最大のスループットに関して最適化を達成することが望ましいかもしれない。代替の実施において、Lは以下の通り表される：
【数１２】
0005425852.tif 000013
【００３３】
ここに、Vは以下の通り表される修正値である：
【数１３】
0005425852.tif 000014
【００３４】
そして、Dは以下の通り表される逆方向リンク負荷推定値(Lが更新される前に計算される)である:
【数１４】
0005425852.tif 000015
【００３５】
ここに、LMAXはシステム６０の最大のメッセージの長さである。この実施例はより高いスループットをもたらすが、その上に長い遅れを生成する傾向がある。遅れとスループットとの間で他の多くのトレードオフがまた可能である。
【００３６】
タスクP２４２において、分散パラメタLと持続性パラメタbが送信される(例えば、ノード１１０へ)。P１１２、P１２２、P２３２およびP２４２が同じ頻繁で実行される必要はないが、通常それが従うタスクより多くない頻度でそれぞれ続くタスクを実行することが望ましいことに注目すべきである。例えば、チャンネルの正確な履歴を維持するために各スロットでタスクP１１２を実行することが望ましいかもしれない。同時に、チャンネルオーバーヘッドを最小にするためにより少ない頻度で(例えば、２５のスロット毎かそのようなスロット毎にだけ、または予定された事象に対応したときだけ) タスクP２４２を実行することが望ましいかもしれない。また、異なった間隔(例えば、異なった頻度で更新パラメタLとbに)でタスクP２４２の異なった部分を実行するのも望ましいかもしれない。
【００３７】
上で説明された実施例では、Lとbのためのただ一つの値がノードインタフェース送信器２３０によってすべてのノード１１０に送られる。代替の実施例では、上に提示された表現は、Lおよび/又はbの異なった値がノード１１０の異なった部分集合に送信されることを許容するために変えられるかもしれない。代わりに、ノード１１０は、ノードがそのチャンネル選択決定において、受信されたLおよび/又はbの変更されたバージョンを使用するように、係数を適用するかもしれず、そのような係数はネットワーク２１０において知られているかもしれなく、固定または動的であるかもしれない。
【００３８】
図８はシステム６０内のノード１１０によって実行されるかもしれない発明の実施例に従った方法のフローチャートを示す。タスクP２１０において、送信されるべきメッセージのスロットの長さが受信される。タスクP２２０では、この長さはネットワーク２１０内で計算されるかもしれないメッセージ長さ閾値Lに対してテストされ、上で説明されたようにノード１１０に送信される。テストが失敗するならば(即ち、長さが閾値よりも大きい)、メッセージはタスクP２３０において予約されたアクセスチャンネル(例えば、チャンネル２５２b) 上に送られる。さもなければ、メッセージはタスクP２４０において基本的なアクセスチャンネル(例えば、チャンネル２５２a) 上に送信される。
【００３９】
タスクP２４０の送信に対する確認がないことがタスクP２５０に受け取られたなら(例えば、タイムアウトが起こるなら)、次に持続性処理が以下の通り実行される。タスクP２６０では、予定された範囲から乱数rが選択される。タスク２７０において、数rは同じ予定された範囲から来ている持続性パラメタ(例えば、再送信の確率b)と比較され、それはネットワーク２１０内で計算され、上で説明されたノード１１０に送信されるかもしれない。テストが成功するならば(例えば、 r>b)、再送信はタスクP２２０で実行される。さもなければ、乱数rのための他の値がタスクP２６０で選択され、タスクP２７０のテストが次のスロットのために繰り返される。他の多くの持続性処理が発明の代替の実施例に従う方法によって支持される。
【００４０】
図９は発明の実施例に従ったノード１１０のブロック図を示す。受信器４１０は１つ以上の分散パラメタおよび/又は持続性パラメタを含むかもしれない分散制御(例えば、ネットワーク２１０からの)のパラメタを受信する。例示的実施例では、パラメタは上で説明された閾値Lと確率bを含んでいる。
【００４１】
プロセッサ４２０はメッセージの特徴(例えば、スロットのメッセージの長さ)を受信して、送信器４３０への選択を出力し、ここに選択は特徴と分散パラメタ (例えば、L)との関係に依存する。選択に従って、送信器４３０はメッセージを基本的なアクセスチャンネル２５２aまたは予約されたアクセスチャンネル２５２b上に送る。例えば、選択は、メッセージの長さがLより大きいならば、予約されたアクセスチャンネル２５２b上の送信を示し、そうでなければ、基本的なアクセスチャンネル２５２a上での送信を示す。
【００４２】
基本的なアクセスチャンネル２５２a上の送信のどんな確認も受け取られないならば、プロセッサ４２０は受信器４１０を通して受け取られる持続性パラメタとの比較のために乱数を発生させる。この比較の結果によって、プロセッサ４２０は送信器４３０にメッセージを再送させるかもしれない(例えば、乱数が持続性パラメタよりも大きいなら)。他の方法で、プロセッサ４２０は他の乱数を発生させて、適当な遅れ(例えば、次のスロット期間中) の後に比較を繰り返す。上で述べたように、他の多くの持続性処理が発明の代替の実施例による装置によって支持されてもよい。
【００４３】
説明された実施例の以上のプレゼンテーションは、技術に熟練したどんな人も本発明を作りまたは使用することを可能にするために提供された。これらの実施例に対する様々な変更は可能であり、ここに提示された一般的な原則はまた、他の実施例に適用されるかもしれない。例えば、発明は一部または全部において、ハードワイヤード回路として、あるいは特注集積回路かプログラマブルゲートアレイ分野で作られる回路構成として実施されてもよい。同様に、発明は一部または全部において、機械可読なコードとして非揮発性記憶装置(リードオンリーメモリやフラッシュメモリなどの)に作られ、あるいはロードされたファームウェアプログラムとして実施されてもよく、そのようなコードはマイクロプロセッサや他のディジタル信号処理ユニットなどの論理素子のアレイにより実行可能な指示である。
【００４４】
さらに、発明は一部および全部において、磁気、光学、磁気光学または、位相-変化ディスクあるいはディスクドライブ；半導体メモリ；または、印刷されたバーコードのようなデータ記憶媒体へ、またはデータ記憶媒体から機械可読なコードとしてロードされたソフトウェアプログラムとして実施されてもよい。したがって、本発明は上で示した実施例に制限されることを意図されず、ここに任意の仕方で開示された原理と新規な特徴と一致した最も広い範囲に従わされるべきである。
以下、本願出願の当初の特許請求の範囲に記載された発明を付記する。
［１］  チャンネル観測情報を受信し;
前記チャンネル観測情報に少なくとも一部基づいて、分散制御のための少なくとも１つのパラメタを計算し、
分散制御のための前記少なくとも１つのパラメタを送信すること含む方法。
［２］  分散制御のための前記少なくとも１つのパラメタが少なくとも１つの分散パラメタを含み、
前記分散パラメタが少なくとも基本的なアクセスチャンネルと予約されたアクセスチャンネルの間でトラフィックを分散することに関係する［１］よる方法。
［３］  前記チャンネル観測情報が前記基本的なアクセスチャンネルにおける活動度に少なくとも一部関連する［２］による方法。
［４］  前記基本的なアクセスチャンネルの時間次元が一連の隣接している重ならないスロットに分割され、
前記チャンネル観測情報が前記スロットの予定された１つの間に前記基本的なアクセスチャンネルにおける活動度に少なくとも一部関係する［２］による方法。
［５］  分散制御のための前記少なくとも１つのパラメタが少なくとも１つの分散パラメタを含み、
前記少なくとも１つの分散パラメタが基本的なアクセスチャンネル上のトラフィックの制限に関連し、前記制限はメッセージの長さに少なくとも一部基づいている［１］による方法。
［６］  分散制御のための前記少なくとも１つのパラメタが少なくとも１つの持続性パラメタを含み、
前記持続性パラメタがメッセージの再送信に関連する［１］による方法。
［７］  複数のノードの中の少なくとも１つに分散制御のための少なくとも１つのパラメタを送信するように構成および配列されたノードインタフェース送信器であり、
分散制御のための前記少なくとも１つのパラメタがチャンネル観測情報に少なくとも一部基づいているノードインタフェース送信器。
［８］  分散制御のための前記少なくとも１つのパラメタが少なくとも１つの分散パラメタを含み、
前記分散パラメタが少なくとも基本的なアクセスチャンネルと予約されたアクセスチャンネルの間でトラフィックを分散することに関係する［７］によるノードインタフェース送信器。
［９］  前記チャンネル観測情報が前記基本的なアクセスチャンネルにおける活動度に少なくとも一部関連する［８］によるノードインタフェース送信器。
［１０］  前記基本的なアクセスチャンネルの時間次元が一連の隣接している重ならないスロットに分割され、
前記チャンネル観測情報が前記スロットの予定された１つの間に前記基本的なアクセスチャンネルにおける活動度に少なくとも一部関係する請求項８によるノードインタフェース送信器。
［１１］  分散制御のための前記少なくとも１つのパラメタが少なくとも１つの分散パラメタを含み、
前記少なくとも１つの分散パラメタが基本的なアクセスチャンネル上のトラフィックの制限に関連し、前記制限はメッセージの長さに少なくとも一部基づいている［７］によるノードインタフェース送信器。
［１２］  分散制御のための前記少なくとも１つのパラメタが少なくとも１つの持続性パラメタを含み、
前記持続性パラメタがメッセージの再送信に関連する［７］によるノードインタフェース送信器。
［１３］  複数のノードの中の少なくとも１つに分散制御のための少なくとも１つのパラメタを送信するように構成および配列されたノードインタフェース送信器と、
少なくとも基本的なアクセスチャンネル上の複数のノードの中の少なくとも１つからメッセージを受信するように構成されかつ配列されたノードインタフェース受信器とを含み、
分散制御のための前記少なくとも１つのパラメタがチャンネル観測情報に少なくとも一部基づいており、
前記チャンネル観測情報が前記基本的なアクセスチャンネルに少なくとも一部関係するシステム。
［１４］  分散制御のための前記少なくとも１つのパラメタが少なくとも１つの分散パラメタを含み、
前記分散パラメタが少なくとも基本的なアクセスチャンネルと予約されたアクセスチャンネルの間でトラフィックを分散することに関係する［１３］によるシステム。
［１５］  前記チャンネル観測情報が前記基本的なアクセスチャンネルにおける活動度に少なくとも一部関連する［１４］によるシステム。
［１６］  前記基本的なアクセスチャンネルの時間次元が一連の隣接している重ならないスロットに分割され、
前記チャンネル観測情報が前記スロットの予定された１つの間に前記基本的なアクセスチャンネルにおける活動度に少なくとも一部関係する［１４］によるシステム。
［１７］  分散制御のための前記少なくとも１つのパラメタが少なくとも１つの分散パラメタを含み、
前記少なくとも１つの分散パラメタが基本的なアクセスチャンネル上のトラフィックの制限に関連し、前記制限はメッセージの長さに少なくとも一部基づいている［１３］によるシステム。
［１８］  分散制御のための前記少なくとも１つのパラメタが少なくとも１つの持続性パラメタを含み、
前記持続性パラメタがメッセージの再送信に関連する［１３］によるシステム。
［１９］  少なくとも１つの分散パラメタを受信し、
メッセージの少なくとも１つの特徴を受信し、
少なくとも基本的なアクセスチャンネルと予約されたアクセスチャンネルの中の１つを選択し、前記選択は前記少なくとも１つの特徴および前記少なくとも１つの分散パラメタ間の関係に少なくとも一部基づいており、
前記選択されたチャンネル上に前記メッセージを送信することを含む方法。
［２０］  前記少なくとも１つの特徴が少なくとも前記メッセージの長さに関連する［１９］による方法。
［２１］  前記方法がさらに、
少なくとも１つの持続性パラメタを受信し、
前記メッセージを再送信することを含み、
前記再送信が前記少なくとも１つの持続性パラメタに従って少なくとも一部で起こる［１９］による方法。
［２２］  前記方法がさらに少なくとも１つの乱数を発生させることを含み、
前記再送信が前記少なくとも１つの乱数と前記少なくとも１つの持続性パラメタとの関係に従って少なくとも一部で起こる［２１］による方法。
［２３］  基本的なアクセスチャンネルおよび予約されたアクセスチャンネルの中の１つにメッセージを送信するように構成されかつ配列された送信器と、
少なくとも１つの分散パラメタを受信するように構成されかつ配列された受信器と、
メッセージの少なくとも１つの特徴を受信するように構成されかつ配列されたプロセッサとを含み、
前記プロセッサがさらに、少なくとも前記基本的なアクセスチャンネルおよび前記予約されたアクセスチャンネル間の１つを選択するように構成されかつ配列され、前記選択は前記少なくとも１つの特徴と前記少なくとも１つの分散パラメタとの関係に少なくと一部基づいており、
前記送信器がさらに前記選択に従って少なくとも一部で前記メッセージを送信するように構成されかつ配列された装置。
［２４］  前記少なくとも１つの特徴が少なくとも前記メッセージの長さに関連する［２３］による装置。
［２５］  前記受信器がさらに少なくとも１つの持続性パラメタを受信するように構成されかつ配列され、
前記プロセッサはさらに前記送信器が前記少なくとも１つの持続性パラメタに従って少なくとも一部で前記メッセージを再送信することを起こさせるように構成されかつ配列された［２３］による装置。
［２６］  前記プロセッサが少なくとも１つの乱数を発生させるようにさらに構成されかつ配列され、
前記プロセッサはさらに、前記送信器が前記少なくとも１つの乱数と前記少なくとも１つの持続性パラメタとの関係に従って少なくとも一部で前記メッセージを再送信することを起こさせるように構成されかつ配列された［２５］による装置。
【図１】
0005425852.tif 000016
【図２】
0005425852.tif 000017
【図３】
0005425852.tif 000018
【図４】
0005425852.tif 000019
【図４Ｂ】
0005425852.tif 000020
【図５】
0005425852.tif 000021
【図６】
0005425852.tif 000022
【図７】
0005425852.tif 000023
【図８】
0005425852.tif 000024
【図９】
0005425852.tif 000025